(57)【要約】【課題】  乾燥剤を交換可能に収納する収納室を簡易に形成でき、成形や組付けに手間がかからず、製造コストが低い、繰り返し使用が可能な収納容器を提供すること。【解決手段】  容器本体と、容器本体の口部外周に組み付ける外蓋と、容器本体の口部内面に組み付けられる中蓋とを備えた収納容器において、中蓋を、乾燥剤を収納する収納室と、収納室を開閉自在に閉じる蓋体と、蓋体を中蓋に連結する連結片とを設けて一体に形成した。  これにより、中蓋は、乾燥剤の収納室とその収納室の蓋体と備えて一体に成形でき、中蓋の成形作業、及び組付け作業が容易となり、乾燥剤を交換して繰り返し使用できる収納容器を低いコストで製造できる。  連結片を折返し部で折返し、フランジの溝にフランジの厚みに等しく収納できる。屈曲部で連結片を屈曲して、収納室の開閉が容易となる。  中蓋に設けた収納室に、容器本体を傾けても落下することなく乾燥剤が収納してあり、湿気を吸収し、容器内に収納した内容物を乾燥した状態に保管できる。【選択図】図１
2006206154.tif 000002
【特許請求の範囲】
【請求項１】
口部を上部に有する容器本体と、前記容器本体の口部上端にかかるフランジを上部外周に備え、該口部内面に嵌め合わされる中蓋と、該中蓋とともに該容器本体の口部外周に締結される外蓋とを備えた収納容器において、
前記中蓋を、乾燥剤を内部に収納し、収納した内部を前記容器本体内と連通させた収納室と、該収納室を開閉自在に閉じる蓋体と、該蓋体を前記フランジに連結する連結片とを設けて一体成形により成形したことを特徴とする収納容器。
【請求項２】
連結片に該連結片を中蓋の内側に折り返す折返し部を、少なくともフランジの外周より内側に設け、前記フランジに前記折返し部で折り返した連結片を収納する、該連結片の厚みに等しい深さを有する溝を設けた請求項１に記載の収納容器。
【請求項３】
折返し部で中蓋の内側に折り返した連結片を溝内に係止させる係止手段を備えた請求項１または２に記載の収納容器。
【請求項４】
折返し部で中蓋の内側に折り返した連結片の前記折返し部から蓋体までのいずれかの位置に、該連結片を上方に屈曲させる屈曲部を設けた請求項２または３に記載の収納容器。
【発明の詳細な説明】
【技術分野】
【０００１】
本発明は、容器の口部内面に組み付けられる中蓋に、乾燥剤を収納する収納室を備え、乾燥剤を交換して繰り返し使用できる収納容器に関する。特に、中蓋が容易に形成でき、組み付けが簡易で、製造コストの低い収納容器に関する。
【背景技術】
【０００２】
一般に湿気を嫌う内容物を容器に収納する場合には、容器内部に乾燥剤を入れておき、吸湿による内容物の変質を防止している。ところが内容物を取り出すときに取出し口から内容物とともに乾燥剤が取り出されてしまったり、容器を下向にしたとき取出し口の内側に乾燥剤が引っかかり、内容物がうまく取り出せなくなることがあった。そこで容器の中蓋に乾燥剤を固定し、乾燥剤で容器内を乾燥させるとともに内容物を円滑に取り出せるようにした乾燥剤付きの収納容器が知られている。
【０００３】
【特許文献１】特開２００１−９７４３８号公報
【発明の開示】
【発明が解決しようとする課題】
【０００４】
しかし従来の乾燥剤を中蓋に固定した乾燥剤付き収納容器では、乾燥剤を中蓋から取り外して新たな別の乾燥剤と交換することができず、吸収能力が低下したり、内容物を詰替えた場合などでも乾燥剤はそのまま使用していた。したがって容器内に乾燥剤が入れられていても、容器内の湿気を十分に吸着することができず、容器に収納した内容物を完全な状態で保管できないことが生じていた。
【０００５】
また、乾燥剤を適宜交換可能に収納するには、乾燥剤を収納する収納室に開閉自在な蓋体を設ける必要があるなど、成形やその組み立てに手間がかかり、収納容器の製造コストを上昇させることとなっていた。
【０００６】
本発明は、乾燥剤を交換可能に収納する収納室を簡易に形成でき、成形や組付けに手間がかからず、製造コストが低い、長期間繰り返し使用が可能な収納容器を提供することを目的とする。
【課題を解決するための手段】
【０００７】
本発明は上記課題を解決するため、容器本体と、容器本体の口部外周に組み付ける外蓋と、容器本体の口部内面に組み付けられる中蓋とを備えた収納容器の上記中蓋を次のように構成した。すなわち、中蓋を、乾燥剤を収納する収納室と、収納室を開閉自在に閉じる蓋体と、蓋体を中蓋に連結する連結片とを設けて一体に形成した。
【０００８】
中蓋は扁平な有底円筒状で、円筒状の側壁上部外周に、容器の口部上端にかかるフランジを有する樹脂成形品で、口部内側に取り外し可能に組み付けられる。
【０００９】
収納室は、乾燥剤を収納可能な形状に形成してあり、中蓋を口部に組み付けたときに容器本体の内部に連通する開口を有している。開口は収納室の底面に設けて容器本体の内部と連通させることが好ましいが、収納室の壁面や蓋体に設け、中蓋に形成された内容物の取出し口を介して収納室内部と容器本体の内部とを連通させてもよい。蓋体は、収納室の上部に脱着自在に組付けられ、収納室を閉じて乾燥剤を内部に保持する。
【００１０】
取出し口は、収納容器に収納する内容物の大きさ、形状などに応じて形成する。
【００１１】
連結片は、フランジの外周端に設け、その先端に蓋体を連結する。連結片と蓋体とはともに中蓋と一体に形成する。連結片には、フランジの外周端に合わせるか、あるいはフランジの外周端より内側に位置して折返し部が形成してある。その折返し部で連結片を折り畳むと、蓋体が中蓋の内側に位置し収納室の上面に嵌合して収納室を閉じる。連結片は、少なくとも折返し部で折り返したとき蓋体が収納室に嵌合できる長さがあればよい。それより長くして、収納室に蓋体を嵌め合わせたときに撓みが生じてもよい。
【００１２】
フランジにはまた、連結片を折返し部で折り返したときに連結片を収納する溝が形成してある。溝は連結片の厚みと等しい深さであり、折り返した連結片が溝内に収納されると連結片の上面がフランジの上面と同一の高さとなる。更に溝に連結片を係止する係止手段を、溝と連結片の何れか一方、あるいは双方に設け、折り返した連結片を溝内に固定させてもよい。
【００１３】
尚、溝の深さと連結片の厚みは、完全に等しい値でなくともよい。溝内に収納した連結片の上面がフランジの上面より高い状態であったり、あるいは低い状態であっても、連結片を溝内に収納させた中蓋を口部に取り付け、中蓋を取り付けた口部に外蓋を螺合させ、外蓋の締付作用や外蓋内側に設けられたパッキン材の働き等により口部が密閉されれば、中蓋の溝の深さと連結片との厚みに若干の違いがあってもよい。
【００１４】
更に屈曲部を、折返し部で折り返した連結片の蓋体とフランジの内周との間に設け、屈曲部で連結片を上方に屈曲させて蓋体を上方に移動させるようにしてもよい。
【発明の効果】
【００１５】
本発明の収納容器は、中蓋を、乾燥剤の収納室とその収納室の蓋体とを備えて一体に成形でき、中蓋の成形作業、及び組付け作業が容易で、低いコストで製造できる。
【００１６】
連結片をフランジの溝に収納し、フランジの厚みをフランジ全周にわたり均一にして、容器内を密閉できる。折返し部で折り返した連結片をフランジに固定できるので、収納容器の使い勝手を向上できる。屈曲部で連結片を上方に屈曲できるので、蓋体の収納室への嵌合、取り外しが容易となる。
【００１７】
中蓋に収納室が設けてあり、収納室に収納された乾燥剤が容器内部の湿気を吸収し、容器内の内容物を乾燥した状態に保持できる。乾燥剤は収納室内に蓋体で封入されているので、内容物の取出し時に容器本体を傾けても、容器から落下したり、口部にかかって内容物を詰まらせることがない。
【００１８】
乾燥剤の能力が低下したときや容器に新たな内容物を収納したときなどには、収納室の蓋体を開いて古い乾燥剤と新しい乾燥剤とを交換し、再度蓋体を閉めて乾燥剤を収納し、繰り返して長期間収納容器として使用できる。
【発明を実施するための最良の形態】
【００１９】
本発明にかかる収納容器の一実施形態について説明する。
【００２０】
収納容器２は図２に示すように、容器本体４と中蓋６と外蓋８から構成されている。容器本体４は、上部に口部１０（図１に示す。）を備え、口部１０の外周に雄ねじ１２が形成してある。容器本体４の内部には内容物としてのタブレット４０が、容器本体４を一部破断して示すように収納されている。尚内容物はタブレット状でなく粉状、板状等形状は特に問わない。
【００２１】
外蓋８は、雄ねじ１２に嵌合する雌ねじ（図示せず。）を内周面に有し、口部１０に外側よりねじ嵌合する。
【００２２】
中蓋６は、図１に示すように円筒状の側壁１３の下端に円板状の底板１６を連続して設けた、合成樹脂からなる扁平な有底円筒状である。側壁１３は口部１０の内周面に合わせて形成してあり、側壁１３の上部外周には口部１０の上端にかかるフランジ１４が設けられている。
【００２３】
底板１６には、タブレット４０を取り出す取出し口１８と収納室３が設けられている。取出し口１８は、容器本体４を傾けるとタブレット４０が通過して外に取り出せるように底板１６に形成してある。収納室３は円筒状で、乾燥剤４２が収納できるよう上方が開放してあり、下方には通気孔１７が形成してある。尚、図面において通気孔１７は一つに記載してあるが、通気孔の数は複数でもよく、また孔でなく乾燥材４２を保持でき、かつ通気が可能であればメッシュ状、スリット状など形状は特定しない。
【００２４】
フランジ１４には、図３に示すように先端に蓋体７を有する連結片５と、連結片５の厚みに合わせた深さの溝１５が設けてあり、連結片５を介して蓋体７がフランジ１４と連結されている。連結片５には、折返し部９と屈曲部１１が設けられている。
【００２５】
折返し部９は、フランジ１４の外周端に等しい位置に形成してあり、図４に示すように連結片５を折返し部９で中蓋６の内側に折り返すと、連結片５が溝１５内に収納され、かつ蓋体７が収納室３の上方に嵌合し、収納室３が閉じられる。溝１５の深さは連結片５の厚みに等しく形成されているので、連結片５を溝１５内に収納すると連結片１５の上面とフランジ１４の上面との高さが一致する。また溝１５の幅は、連結片５の幅に合わせて形成してあり、連結片５が溝１５内に保持される。
【００２６】
蓋体７は収納室３に、容器本体４を傾斜させたり、あるいは下に向けた場合でも開かず、乾燥剤４２が収納室３内に保持される程度に嵌合していることが必要とされる。
【００２７】
屈曲部１１は、図４に示すようにフランジ１４の内周に一致した位置に設けられている。図５に示すように連結片５を屈曲部１１で上方に屈曲させると、蓋体７が上方に移動し、収納室３が開放される。
【００２８】
次に、収納容器２の使用について説明する。
【００２９】
まず中蓋６は、収納室３と蓋体７を有して一体の樹脂成形で成形される。そして折返し部９で連結片５を折返し、溝１５内に連結片５を嵌め、更に屈曲部１１で連結片５を上方に屈曲させて、収納室３を開き、乾燥剤４２を収納室３内に収納して、蓋体７で閉じる。次に乾燥剤４２を収納室３に収納した中蓋６を、タブレット４０を収納した容器本体４の口部１０の内面に嵌め、外蓋８を雄ねじ１２にねじ込み、密封する。
【００３０】
タブレット４０を取り出すときは、外蓋８を取り外し、容器本体４を傾けて取出し口１８から落下させる。タブレット４０を取り出したら外蓋８を閉じ、再び密封する。収納容器２内は、通気孔１７を通して乾燥剤４２により乾燥状態が保持される。
【００３１】
タブレット４０がなくなり、新たに補充するときは、外蓋８と中蓋６を取り外し、容器本体４内に新しいタブレット４０を投入する。そして乾燥剤４２を交換するときは、屈曲部１１から連結片５を屈曲させて収納室３を開き古い乾燥剤４２を取り出し、新規の乾燥剤４２を収納室３に入れ蓋体７で閉じる。乾燥剤４２を交換した中蓋６を口部１０に嵌め、外蓋８を締めて密封する。
【００３２】
以上述べたように収納容器２は、一体成形した中蓋６に乾燥剤４２を収納し、タブレット４０を乾燥剤４２で乾燥させた状態で保管でき、また乾燥剤４２を必要に応じて随時容易に交換できる。折返し部９で折返した連結片５を、溝１５内にフランジ１４と連続した形状で収納させるので、フランジ１４と外蓋８とで容器本体４を確実に密閉できる。更に屈曲部１１で連結片５が上方に屈曲するので、蓋体７を容易に屈曲でき、収納室３の開閉動作が容易となる。
【００３３】
図６に中蓋６の他の実施例を示す。この例は、連結片５に、側方に突出した突部２３を両側に設け、一方溝１５に突部２３に適合した凹部２５を設けて係止手段を構成した。このように突部２３と凹部２５とからなる係止手段を設けることにより、連結片５が溝１５内に強く嵌合され、連結片５をフランジ１４上に強く保持でき、しかもフランジ１４のシール性能を向上できる。
【００３４】
図７に係止手段の他の例を示す。この例は、連結片５の下面、すなわち溝１５側に向いた面に突部２７を設け、溝１５内に突部２７に嵌合する凹部２８を設けた。このように係止手段を構成しても、突部２７と凹部２９を嵌合させることにより、連結片５が溝１５に強く嵌合され、連結片５をフランジ１４上に強く保持できる。尚、突部２３と凹部２５、突部２７と凹部２９の凹凸は逆に設定してもよい。
【００３５】
尚、上記例では折返し部９をフランジ１４の外周位置に一致させた位置に設けたが、折返し部９は、フランジ１４の外周位置より内側に形成してもよい。また屈曲部１１をフランジ１４の内周位置に一致した位置に設けたが、図６に示すように屈曲部１１はフランジ１４の内周より内側に形成してもよい。また連結片５に屈曲部を形成するのではなく、連結片５の厚みを薄くするなどして柔軟性をもたせ、全体を湾曲させて蓋体７を上方に移動させるようにしてもよい。
【図面の簡単な説明】
【００３６】
【図１】本発明にかかる収納容器の一部を示す斜視図である。
【図２】収納容器を示す斜視図である。
【図３】中蓋を示す一部断面図である。
【図４】中蓋を示す部分断面図である。
【図５】中蓋を示す部分断面図である。
【図６】中蓋の他の例を示す部分平面図である。
【図７】中蓋の他の例を示す部分断面図である。
【符号の説明】
【００３７】
２    収納容器
３    収納室
４    容器本体
５    連結片
６    中蓋
７    蓋体
８    外蓋
９    折返し部
１０  口部
１１  屈曲部
１２  雄ねじ
１３  側壁
１４  フランジ
１６  底板
１７  通気孔
１８  取出し口
４０  タブレット
４２  乾燥剤
【図１】
2006206154.tif 000003
【図２】
2006206154.tif 000004
【図３】
2006206154.tif 000005
【図４】
2006206154.tif 000006
【図５】
2006206154.tif 000007
【図６】
2006206154.tif 000008
【図７】
2006206154.tif 000009